(57)【特許請求の範囲】
【請求項１】
飲料用容器本体の第一の上部開口部に被着される栓本体と、前記栓本体の後部にヒンジ軸支され前記栓本体の飲み口又は注ぎ口からなる第二の上部開口部の上方を開閉自在に開閉する蓋体と、前記栓本体の前部で前記蓋体を閉状態に保持するロック機構を備え、
前記ロック機構は、前記蓋体の前部に設けられた係合片と、
前記栓本体の前部に設けられ前記栓本体の内外方向に進退可能に取り付けられて上部に前記蓋体の係合片と係合する係合部を有するボタンと、
前記ボタンの下方の前記栓本体の外周壁側に上下方向にスライド可能に設けられると共に前記ボタンの後部に常時は非接触状態のストッパ片を設けて、上位置状態で前記ボタンの後部側にストッパ片が挿入して該ボタンの係合解除方向への動きを規制するスライド式ストッパとを備え、
前記スライド式ストッパは、前記ストッパ片と一体に該ストッパ片の左右方向に延長された横向き部を有すると共に、この横向き部の左右側から左右の縦向き部をそれぞれ立設し、前記ボタンの周囲に前記スライド式ストッパを配置し、前記横向き部に操作部を設けたことを特徴とする飲料用容器の栓体。
【請求項２】
前記栓本体の前部の左右に、前記スライド式ストッパの上下方向案内路となる凹溝を設け、前記凹溝を上下方向に摺動する摺動用突起を、前記左右の縦向き部に設けたことを特徴とする請求項１記載の飲料用容器の栓体。
【請求項３】
前記スライド式ストッパは、前記栓本体と係合・摺動を担う内部部品と、該内部部品と一体に設けられ前記ストッパ片を設ける剛性体の外部部品により構成されることを特徴とする請求項１又は２記載の飲料用容器の栓体。
【請求項４】
前記スライド式ストッパの前記内部部品は、前記栓本体及び前記外部部品にそれぞれ弾性的に係合することを特徴とする請求項３記載の飲料用容器の栓体。
【請求項５】
前記ボタンの外周を、前記スライド式ストッパと、前記係合片の上部とで覆うことを特徴とする請求項１〜４のいずれか１項に記載の飲料用容器の栓体。
【発明の詳細な説明】
【技術分野】
【０００１】
本発明は、栓本体の前部で蓋体を閉状態に保持するロック機構を備えた飲料用容器の栓本体に関するものである。
【背景技術】
【０００２】
従来、ロック機構で蓋体の回動を規制するものとして、栓本体に回動自在に設けたＵ字型リングで蓋体に設けた受け部を係止する方式（例えば特許文献１）や、栓本体に上下動自在に設けた操作ボタンを蓋体に設けた係止片に係止させる方式（例えば特許文献２）が知られている。
【０００３】
また、ボタン部品にロックを取り付け、ボタンの回動を規制するものとして、ボタン操作部前面に上下スライドするスライドロックを配置し、スライドロックがスライドすることで栓本体に嵌まり込みボタンの回動を規制し、そしてスライドロックはボタン部の溝で作動規制されている方式（例えば特許文献３）、ボタン操作部裏側に上下スライドのスライドロックを配置し、ボタン下側に設けられたスライドロック操作部をスライドすることで栓本体に嵌まり込みボタンの回動を規制するものであって、スライドロックはボタン部の溝で作動規制されている方式（例えば特許文献４）、ボタン操作部裏側に上下スライドのスライドロックを配置し、ボタン下側に設けられたスライドロック操作部をスライドことで栓本体に嵌まり込みボタンの回動を規制するものであって、スライドロックはボタン回動軸ピンによって作動規制されている方式（例えば特許文献５）、ボタン操作部裏側に上下スライドのスライドロックを配置し、ボタン下側に設けられたスライドロック操作部をスライドすることで栓本体に嵌まり込みボタンの回動を規制するものであって、スライドロックはボタン回動軸ピンによって作動規制されており、常にロック状態となるようにコイルスプリングでロック方向に付勢されており、また、ボタンにはスプリングを使用せず、ボタンに弾性部を設けることでボタン爪が蓋体嵌合爪から外れないようにしている方式（例えば特許文献６）、またボタン操作部前面に上下スライドのスライドロックを配置し、スライドロックがスライドすることで栓本体に嵌まり込みボタンの回動を規制するもので、スライドロックはボタン部の溝で作動規制されている方式（例えば特許文献７）が知られている。
【０００４】
さらに、栓本体にロックを取り付け、ボタンの回動を規制するものとして、ボタン下側に上下スライドのスライドロックが配置され、ボタン裏面と栓本体の間にスライドロックを挿入することでボタンを回動規制する方式（例えば特許文献８）、ボタン下側に上下スライドのスライドロックが配置され、ボタン下端にスライドロックが当接することでボタンを回動規制する方式（例えば特許文献９）、ボタンの脇に離れて水平スライドのスライドロックが配置され、ボタン裏面と栓本体の間にスライドロックを挿入することでボタンを回動規制する方式（例えば特許文献10）が知られている。
【０００５】
また、蓋体にボタンを取り付け、かつボタンにロックを取り付けてボタンの回動を規制するものとして、蓋体前面に上下スライドのスライドロックを配置し、栓本体側に配置されたスライドボタンにストッパが入り込むことで、ボタンの作動を規制する方式が知られている。
【０００６】
また、蓋体にボタンを取り付け、かつボタンにはロックを取り付けてボタンの回動を規制するものとして、蓋体前面に上下スライドのスライドロックを配置し、栓本体側に配置されたスライドボタンにストッパが入り込むことで、ボタンの作動を規制する方式（例えば特許文献11）が知られている。
【０００７】
さらに、蓋体にボタンを取り付け、かつボタンにロックを取り付けてボタンの回動を規制するものとして、蓋体天面にボタンを配置し、さらにボタン上に左右スライドのスライドロックを配置し、ボタンを作動規制する方式（例えば特許文献12）が知られている。
【先行技術文献】
【特許文献】
【０００８】
【特許文献１】特許第４４８２９４０号公報
【特許文献２】特開２００９−２３７１２号公報
【特許文献３】特許第４４４９７２５号公報
【特許文献４】特開２００８−１５００５８号公報
【特許文献５】特開２００７−１２６１８６号公報
【特許文献６】特開２００６−２９８４４９号公報
【特許文献７】特開２００８−１２５９６５号公報
【特許文献８】特開２００５−１９３９４４号公報
【特許文献９】特許第４１４３３８３号公報
【特許文献１０】特開２００６−１４１７９９号公報
【特許文献１１】意匠登録第１２７７６３５号公報
【特許文献１２】特開２００８−２２２２３８号公報
【発明の概要】
【発明が解決しようとする課題】
【０００９】
ロック機構で蓋体の回動を規制する特許文献１においては、ロック操作の動作が大きく、ワンタッチでロック解除がややしずらい。また特許文献２においては、蓋体とロックで嵌合させることでロックが作用するため、蓋体、ロックの嵌合精度が必要とされる。
【００１０】
ボタン部品にロックを取り付け、ボタンの回動を規制する特許文献３〜７においては、ボタンとロックが一体で動くことから、ボタンを押した際にロックも押してしまいロック状態となってしまいボタンが動かないことがある。また、上下スライドでどちらの位置でロック状態となるのか目視で判別しにくい。例えば、特許文献４はロックを下げることでロックＯＦＦ状態となるのに対して、特許文献５はロックを下げることでロック状態となるが、外観上ではどちらの位置でロック状態となるか見分けるのは困難である。
【００１１】
栓本体にロックを取り付け、ボタンの回動を規制するもののうち特許文献８，９においては、スライドロックが土手の内側に配置されているため、操作部が小さく、ややロック操作しにくい。また、外観でのロックＯＮ／ＯＦＦ状態がやや判別しにくい。さらにボタンを係止するためのピンが外観から見えてしまうのでやや外観が悪い。また、特許文献10においては、左右方向のスライドの配置がボタンから離れているため、ボタン操作とロック操作の連動性が劣る。また、ロックが左右どちらかに配置されてしまうため、利き手の操作ができない可能性がある。例えば、右利きの人に対して、ロックが左側にあるとロック操作しにくい。
【００１２】
蓋体にロックを取り付け、ボタンの回動を規制するものでは、蓋体を閉める際に誤ってロックを押してしまい蓋体が閉まらず、誤操作を招き易い。
【００１３】
蓋体にボタンを取り付け、かつボタンにロックを取り付けてボタンの回動を規制する特許文献11のようなものでは、ロックのＯＮ／ＯＦＦ状態が正面から視認しにくく、ボタン操作部とロック操作部が離れているため、ボタン操作とロック操作の連動性が劣る。また、ボタンが蓋体に配置されているため、蓋体を開ける際にボタンを押して蓋体を持ち上げる動作となり、ワンタッチでフルオープンすることはできない。さらに、ロック操作部が蓋体に対して出っ張っているため、落下などで容易にロックが破損するおそれがある。
【００１４】
解決しようとする問題点は、栓本体の前部で蓋体を閉状態に保持するロック機構を備えた飲料用容器の栓本体において、操作性を向上すること、ロック状態、ロック解除状態の視認性を向上すること、またロック操作とボタン操作を可能な限り少ないアクションとさせるように操作連動性の向上すること、さらにボタン操作時に誤ってロックを操作しないようにロック誤作動の防止すること、また、ロック操作部のプロテクション、さらにロック作動の確実性を向上することである。
【課題を解決するための手段】
【００１５】
請求項１の発明は、飲料用容器本体の第一の上部開口部に被着される栓本体と、前記栓本体の後部にヒンジ軸支され前記栓本体の飲み口又は注ぎ口からなる第二の上部開口部の上方を開閉自在に開閉する蓋体と、前記栓本体の前部で前記蓋体を閉状態に保持するロック機構を備え、
前記ロック機構は、前記蓋体の前部に設けられた係合片と、
前記栓本体の前部に設けられ前記栓本体の内外方向に進退可能に取り付けられて上部に前記蓋体の係合片と係合する係合部を有するボタンと、
前記ボタンの下方の前記栓本体の外周壁側に上下方向にスライド可能に設けられると共に前記ボタンの後部に常時は非接触状態のストッパ片を設けて、上位置状態で前記ボタンの後部側にストッパ片が挿入して該ボタンの係合解除方向への動きを規制するスライド式ストッパとを備え、
前記スライド式ストッパは、前記ストッパ片と一体に該ストッパ片の左右方向に延長された横向き部を有すると共に、この横向き部の左右側から左右の縦向き部をそれぞれ立設し、前記ボタンの周囲に前記スライド式ストッパを配置し、前記横向き部に操作部を設けたことを特徴とする飲料用容器の栓体である。
【００１６】
請求項２の発明は、前記栓本体の前部の左右に、前記スライド式ストッパの上下方向案内路となる凹溝を設け、前記凹溝を上下方向に摺動する摺動用突起を、前記左右の縦向き部に設けたことを特徴とする飲料用容器の栓体である。
【００１７】
請求項３の発明は、前記スライド式ストッパは、前記栓本体と係合・摺動を担う内部部品と、該内部部品と一体に設けられ前記ストッパ片を設ける剛性体の外部部品により構成されることを特徴とする飲料用容器の栓体である。
【００１８】
請求項４の発明は、前記スライド式ストッパの前記内部部品は、前記栓本体及び前記外部部品にそれぞれ弾性的に係合することを特徴とする飲料用容器の栓体である。
【００１９】
請求項５の発明は、前記ボタンの外周を、前記スライド式ストッパと、前記係合片の上部とで覆うことを特徴とする飲料用容器の栓体である。
【発明の効果】
【００２０】
請求項１の発明によれば、延長部によってスライド式ストッパがボタンの下方の箇所以外にも設けられるので、操作位置が広がり操作性を向上することができる。また、ボタン周囲にスライド式ストッパを配置することで、連動性を向上できると共に、ロック操作部のプロテクション性を向上できる。
【００２１】
請求項２の発明によれば、摺動用突起が凹溝を上下方向に摺動することで、ボタンに沿ってスライド式ストッパを上下動することができる。
【００２２】
請求項３の発明によれば、ストッパを２部品化し、外側を剛性体とすることでストッパが容易に壊れないようにできる。
【００２３】
請求項４の発明によれば、ストッパを２部品化し、内部部品を作動に特化した弾性・摺動性の機能を持たせることで、ロック作動の確実性を向上できる。
【００２４】
請求項５の発明によれば、ボタン周囲にスライド式ストッパを配置することで、連動性を向上できると共に、ロック操作部のプロテクション性を向上できる。
【図面の簡単な説明】
【００２５】
【図１】本発明の実施例１を示す蓋体閉状態の縦断面図である。
【図２】同蓋体開状態の縦断面図である。
【図３】同蓋体閉状態でスライドストッパが作動時の斜視図である。
【図４】同蓋体閉状態でスライドストッパが非作動時の斜視図である。
【図５】同蓋体開状態の斜視図である。
【図６】同第一の平坦部まわりのスライド式ストッパを除去した状態の下方からの斜視図である。
【図７】同第一の平坦部まわりの上方からの斜視図である。
【図８】同スライドストッパの分解斜視図である。
【発明を実施するための形態】
【００２６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２７】
以下、本発明を携帯用の魔法瓶１に適用した各形態例を、図に基づいて説明する。魔法瓶１は、金属製の容器本体２と、該容器本体２の第一の上部開口部３に装着される合成樹脂性の栓体４とを備えている。栓体４は、第一の上部開口部３を着脱自在に閉塞する栓本体５と、この栓本体５上の後部にヒンジ６にて開閉可能に連結される蓋体７を有する。栓本体５は容器本体２の第一の上部開口部３に外嵌する平面視円形の円筒状部８と、この円筒状部８の第一の天板部９に開口する飲み口又は注ぎ口からなる第二の上部開口部10とを有する。
【００２８】
蓋体７は、栓本体５の円筒状部８の上側に連続する円筒状部11と、この円筒状部11の上部を閉塞する第二の天板部12とからなる逆有底筒状に形成され、ロック機構13が位置する前側が高く、ヒンジ６が位置する他側部側が低い傾斜形状となっている。円筒状部11は、前側下部にロック機構13の構成部材である係合片14が外周側に突設され、該係合片14の先端側下部14Ｄは、外周側が上昇するテーパ状に形成されている。円筒状部８の後部には、ヒンジ６が形成され、第二の天板部12の内側には、パッキン15と弾性部材（付勢手段）たるゴム製Ｏリング16とが設けられている。パッキン15は、第二の上部開口部10の上部10Ｕよりも大径な球面状に形成されており、蓋体７を閉じた際には、第二の上部開口部10の上部10Ｕに弾接して第二の上部開口部10を液密にシールするようになっている。また、前記ヒンジ６のゴム製Ｏリング16はヒンジ６に介在して蓋体７を１８０度以上の開位置に付勢するようになっている。
【００２９】
容器本体２は、内筒17と外筒18の上部開口縁を一体に接合して第一の上部開口部３が形成されており、内筒17と外筒18との間に真空の断熱層19を形成した断熱二重構造で、外筒18の上部外周には、栓本体５を螺着するための雄ねじ20が形成されている。
【００３０】
そして、ヒンジ６の反対側、すなわち前部に設けられ、蓋体７の閉状態の保持と解除とを行うロック機構13は、蓋体７の円筒状部11の前側下部に設けられた係合片14と、栓本体５の円筒状部８の外側部に設けたロックボタン21と、栓本体５の円筒状部８の外側部にスライド可能に設けられたスライド式ストッパ22とを備えており、ロックボタン21の上下方向の中間部は軸心が水平な軸部材23により軸支されて栓本体５の内外方向、すなわち後側と前側に回動可能に取り付けられてシーソー式になっている。
【００３１】
前記係合片14は、蓋体閉時において円筒状部11の前方へ水平方向となってやや突設する薄板状であって、その平面視及び正面視は矩形、ほぼ水平であって、その上部14Ｕは正面視で上向きの円弧状となっている。そして、係合片14と係合片の上部14Ｕの間には、係合部24が係合するように凹部14Ｃが形成されている。また、係合片14の上部14Ｕの左右辺とこれら左右辺が平面視で接続する蓋体７の円筒状部11との箇所は平面視で切り取られたような角部26に形成されている。
【００３２】
前記円筒状部８の前部の外側部に該外側部と平行となってやや前方へ突設するスライド式ストッパ22の摺動係合部となる突設平坦面27の上部に軸受け部28が前方へ突設しており、そして、この軸受け部28の前方にロックボタン21が縦向きに配置されると共に、このロックボタン21の上端に設けられた係合部24は後ろ向きの爪状となって閉蓋体状態の係合片14の凹部14Ｃと対向して、係合部24と係合片14は係合できるようになっている。一方、ロックボタン21の下端の前部には指で押すことが可能な押圧操作部29が設けられている。この押圧操作部29は縦向きであって、その前部29Ｆは上下左右方向において平坦に形成されている。
【００３３】
そして、ロックボタン21における係合部24と押圧操作部29との中間の左右縁に後ろ向きの腕部30が突設しており、これら左右一対の腕部30が軸受け部28を左右方向で外嵌すると共に、これら腕部30、軸受け部28に左右方向を長手方向とした軸部材23が貫通することで、ロックボタン21は軸部材23を回転中心として回動できるようになっている。さらに、軸部材23の下方において突設平坦面27と押圧操作部29の後部29Ｂの上部側との間には付勢手段たる弾性部材であるコイルスプリング31が介在しており、このコイルスプリング31によりロックボタン21は常時係合部24が係合片14に係合できるよう回動するように付勢されており、これにより係合部24が係合片14に係合するようになっている。そして押圧操作部29の後部29Ｂの下部側と突設平坦面27との隙間32に、この隙間32の真下にあって該隙間32に対向しているスライド式ストッパ22のストッパ片33が挿入することで、ロックボタン21は係合解除方向への動きを規制でき、一方スライド式ストッパ22のストッパ片33を隙間32の下方位置となる非挿入位置へスライド移動したときにロックボタン21の係合解除方向への動きの規制を解除することができるようになっている。
【００３４】
尚、図１に示すようにストッパ22が上位置にあってボタン21に対向していると共に、押圧操作部29が押圧操作されていない状態では、ストッパ22と押圧操作部29、ひいてはボタン21との間には僅かな隙間が形成されて、非接触状態にある。また、図２に示すようにボタン21とストッパ22との間には隙間32が形成されて非接触状態にある。この結果、押圧操作部29が押圧操作されていない常時は、ボタン21とストッパ22は非接触状態に形成されている。
【００３５】
また、突設平坦面27の下端にコイルスプリング31の後部を位置する位置決め部34が前方へ突起状に設けられており、この位置決め部34の下方の円筒状部８の前部８Ｆにスライド式ストッパ22に設けられた係止部35が係止可能な係止受け部36が前方へ突起状に設けられている。さらに、突設平坦面27の左右両側の円筒状部８の外周壁である前部８Ｆにおいては、平面視において円における弦を描くように突設平坦面27の内側、すなわち栓体４の中心軸線37側に平坦面38が設けられる。この平坦面38の上端は突設平坦面27の上端に配置されると共に、下端は係止受け部36の近傍に配置されている。そして、平坦面38の左右方向の内側には、それぞれ突設平坦面27の左右側面を凹設するようにスライド式ストッパ22の上下方向案内路を形成する凹溝39が設けられており、この凹溝39の溝開口部40は左右方向の外側を向いている。尚、実施例では左右一対の凹溝39の上端相互は左右方向の貫通孔41によって連通している。
【００３６】
前記スライド式ストッパ22は、前記隙間32及び位置決め部34の下方にこれら隙間32及び位置決め部34と対向するように設けられたストッパ片33の左右方向に延長して設けられる横向きの延長部としての横向き部42と、この横向き部42の左右側からそれぞれ立設されロックボタン21の左右側面21Ｓ、突設平坦面27の左右側面27Ｓ、左右に配置された凹溝39に対向する縦向き延長部としての縦向き部43を有し、これら縦向き部43の間とその上方は空間部44となって、正面視でＵ字形状や上向きとなった倒コ字形状に形成されている。
【００３７】
そして、横向き部42の前部42Ｆは、上述の下位置状態にあるとき押圧操作部29の前部29Ｆとほぼ同一面状に配置されている。ここで、ほぼ同一面状とは、同一面或いは多少の段差があっても前部42Ｆに位置した指、例えば親指Ｆがその指先を上下方向、左右方向、さらには前後方向に移動しなくともそのまま前部29Ｆを押圧操作できる状態をいう。  横向き部42の上端には隙間32に挿入可能なストッパ片33が薄肉形状となって形成されている。また、前部42Ｆの下側のほぼ半分から横向き部42にかけて凹部22Ａが形成され、この凹部22Ａの下側の段差により横向き部42の前部42Ｆの下端、さらにはこれに連続してストッパ片33の真下には、操作用指掛け部により一番目の操作部である第一のストッパ押し下げ操作部45が設けられる。さらに、ストッパ片33の真下及び第一のストッパ押し下げ操作部45の下方に配置される横向き部42の下部によって操作用に指掛けできる二番目の操作部である第一のストッパ押し上げ操作部46が設けられている。
【００３８】
さらに、ストッパ片33の裏側、すなわち横向き部42の後部42Ｂの上端には係止部35が設けられており、この係止部35は後部42Ｂ上端に接続した片持ち状の突片を上向きに設けると共に、この突片の上端に後ろ向きに突設した係止部突起35Ａを設けたもので、スライド式ストッパ22を係止部35と共に上にスライドして係止部35が係止受け部36を乗り越えて上位置になるとスライド式ストッパ22がその位置で係合して停止されると同時にストッパ片33が隙間32に挿入する。一方、スライド式ストッパ22を係止部35と共に下にスライドして係止部35が係止受け部36を乗り越えた下位置になるとスライド式ストッパ22がその位置で係合して停止されると同時にストッパ片33が隙間32より離脱するようになっている。
【００３９】
横向き部42の左右に立設される左右一対の縦向き部43における左右方向の内側部43Ｈは、上述した上位置では内側部43Ｈの上端43Ｔは角部26の上端に位置し、下位置では上端43Ｔは第一の天板部９と同じかやや低く配置されるようになっており、そして内側部43Ｈは、凹溝39の溝開口部40、突設平坦面27の左右方向の左右側面27Ｓ、腕部30及びロックボタン21の左右側面21Ｓに対向しており、そのうち凹溝39の溝開口部40に対向する箇所には左右方向において左右方向の内側向きに突設する縦長板状の摺動用突起47が設けられており、この摺動用突起47が溝開口部40を介して凹溝39にやや弾性的に係合状態で挿入して、摺動用突起47が凹溝39を上下方向に摺動することで、ロックボタン21に沿ってスライド式ストッパ22が上下動できるようになっている。
【００４０】
一方、左右一対の縦向き部43における左右方向の外側部43Ｓは、上下方向の中間部より上方へ向けて外側に広がるように傾斜しており、このため左右一対の外側部43Ｓ間の幅Ｗは上方へ次第に大きくなっており、この傾斜面によって三番目の操作部である第二のストッパ押し上げ操作部48が形成される。尚、外側部43Ｓの上端43Ｔ´は上端43より低く形成されている。
【００４１】
スライド式ストッパ22の縦向き部43の上部43Ｕは左右方向の内側（上端43Ｔ）より外側（上端43Ｔ´）が下方になるように傾斜しており、その下向き角度Ａはほほ水平状態から６０度より小さく形成されており、この上部43Ｕによって四番目の操作部である第二のストッパ押し下げ操作部49が形成されるようになっている。
【００４２】
そして、ストッパ片33が隙間32に挿入するスライド式ストッパ22の上位置においては、蓋体閉状態であってスライド式ストッパ22の上部43Ｕが、係合片14の上部14Ｕと同一面状に連なるように配置され、これにより係合片14の上部14Ｕから上部43Ｕ、上部43Ｕから係合片14の上部14Ｕに指が触れながら移動しても指に大きな違和感が生じないようになっている。一方、スライド式ストッパ22の下位置においては、スライド式ストッパ22の上部43Ｕが、閉蓋体状態であっては係合片14の上部14Ｕより下方、実施例では上部43Ｕは第一の天板部９と同じかやや低い位置に配置される。このため係合片14の上部14Ｕとスライド式ストッパ22の上部43Ｕとの間には上部43Ｕから係合片14の上部14Ｕに指が触れながら移動したとき指に段差が気づくようになっている。
【００４３】
また、縦向き部43における前部43Ｆは、凹部22Ａの上端にある段部50を介して上部が下部より前方にやや突設しており、この段部50によって五番目の操作部である第三のストッパ押し上げ操作部51が設けられている。
【００４４】
さらにスライド式ストッパ22の縦向き部43の後部43Ｂは平坦面38に対向すると共に、閉蓋体状態で上位置にあるときには縦向き部43の後部43Ｂの上部は、角部26に対向できるようになっている。
【００４５】
そして、スライド式ストッパ22は、プラスチックによる一体成形ではなく、外部部品53の内側に内部部品52を弾性的に係合して一体に固定したものであり、内部部品52はスライド式ストッパ22の後側と左右方向の内側に配置された正面視でＵ字形状或いは上方を開口した倒コ字形状であり、一方外部部品53は内部部品52の前側、上側、左右方向外側、下側を覆う正面視がＵ字形状或いは上方を開口した倒コ字形状である。これら内部部品52と外部部品53とは嵌着することで一体化しており、このため外部部品53の後側で左右方向の内側には、凹所54が設けられており、この凹所54に内部部品52の前部、左右方向の両側面、底面が嵌着している。さらに内部部品52と外部部品53との嵌着するために凹所54の左右両側に縦向き方向の固定用突起55が形成され、この固定用突起55が内部部品52の左右方向の外面に形成した縦溝56に係止している。
【００４６】
この外部部品53と内部部品52のうち栓本体５と係合・摺動を担う内部部品52は外部部品53の材料より弾性に優れるプラスチック材料、例えばＰＯＭにより成形し、一方外側に表れ指掛けされる外部部品53は内部部品52より剛性に優れるプラスチック材料、例えばＡＢＳにより成形され、さらに表面にめっき層（図示せず）が形成される。尚、他の部品、栓本体５、蓋体７、ロックボタン21は汎用プラスチック材料、例えばＰＰにより成形されている。
【００４７】
上述のように構成された魔法瓶１は、開いた状態の蓋体７を閉方向に押圧すると、蓋体７の係合片14は、テーパ状に形成された先端側下部14Ｄが、ロックボタン21のテーパ状の係合部24にガイドされながら下降する。これにより、ロックボタン21の係合部24が栓本体５の外側に回動し、係合片14を係合部24に係合させると共に、ロックボタン21の上部がコイルスプリング31によって、栓本体５の内方向に付勢されることから、係合片14８と係合部24との係合を保持し、蓋体７を確実に閉じることができる。
【００４８】
次いで、横向き部42にある第一のストッパ押し上げ操作部46に指を上向きに掛けたり、左右一対の縦向き部43の外側部43Ｓにそれぞれある第二のストッパ押し上げ操作部48に片指或いは両指を上向きに掛けたり、或いは左右一対の縦向き部43の前部42Ｆにそれぞれある第三のストッパ押し上げ操作部51に両指を上向きに掛けてスライド式ストッパ22を上方にスライドさせ、ロックボタン21と円筒状部８の前部８Ｆとの隙間32にストッパ片33を挿入させる。これにより、ロックボタン21は回動が規制されると共に、係止部35が係止受け部36を乗り越えた係止状態によって、ストッパ片33の挿入位置を保持することから、係合片14と係合部24との係合状態が確実に保持され、蓋体７が不用意に開くことがない。
【００４９】
このような閉蓋体状態において、スライド式ストッパ22によりロックボタン21が固定された状態にあっては、スライド式ストッパ22の上部43Ｕが係合片14の上部14Ｕと同一面状に配置されることで、この同一面状を視認することにより閉蓋体状態であって、しかもスライド式ストッパ22によりロックボタン21が固定状態にあることを簡単に把握することができる。
【００５０】
一方、蓋体７を開けて飲料を飲む場合には、第一のストッパ押し下げ操作部45に指を下向きに掛けたり、或いはストッパ22の左右一対の縦向き部43の第二のストッパ押し下げ操作部49に片指或いは両指を下向きに掛けたりして、スライド式ストッパ22を下方にスライドさせ、ロックボタン21の下部（押圧操作部29の後部29Ｂ）と円筒状部８の前部８Ｆ（突設平坦面27）との隙間32からストッパ片33を抜け出す。そして、ロックボタン21の押圧操作部29を、コイルスプリング31の弾発力に抗して内側に押し、ロックボタン21の係合部24を外側に回動させて、係合片14と係合部24との係合を解除する。これにより、蓋体７がゴム製Ｏリング16の弾発力によって開口方向へ付勢されて開いて、栓本体５の上方が開放される。
【００５１】
このようなストッパ片33が隙間32より抜け出ている状態では、スライド式ストッパ22の上部43Ｕは第一の天板部９と同一高さ或いはやや低い状態となって、スライド式ストッパ22の上部43Ｕと係合片14の上部14Ｕとの間には段差57が形成されることにより、スライド式ストッパ22が隙間32より抜け出ていることを簡単に把握することができる。
【００５２】
以上のように、前記実施例においては、ロックボタン21は、係合部24を係合片14との係合方向に付勢する付勢手段をコイルスプリング31により形成し、スライド式ストッパ22は、栓本体５の前部８Ｆに凸状に設けられた突設平坦面27に取り付けられロックボタン21の下部にある押圧操作部29の後部29Ｂと栓本体５の円筒状部８の前部８Ｆ側との間に挿入されたときにロックボタン21の係合解除方向への動きを規制し、非挿入位置へスライド移動したときにロックボタン21の係合解除方向への動きの規制を解除するストッパ片33と、該ストッパ片33の後部に設けられストッパ片33の挿入位置と非挿入位置とで栓本体５の突設平坦面27側に設けられた係止受け部36にストッパ片33を選択的に保持する係止部35とを有し、栓本体５の突設平坦面27側に係止受け部36を設けることにより、ロックボタン21とストッパ22が一体化されていないため、ロックボタン21操作時に誤ってストッパ22の操作をしないようにすることができる。
【００５３】
また、ロックボタン21の外周を、スライド式ストッパ22と、蓋体７の前部である係合片14の上部14Ｕとで覆うことで、スライド式ストッパ22が大きいため、スライド式ストッパ22の視認性を向上することができる。また、ロックボタン21の周囲にスライド式ストッパ22を配置することで、連動性を向上できる。しかも、スライド式ストッパ22が大きいため、視認性、連動性に優れ、しかもスライド式ストッパ22はボタン21の周囲に配置されるため、落下時などにボタン21への衝撃を防ぐことができるなどのプロテクション性に優れる。
【００５４】
さらに、スライド式ストッパ22の前部42Ｆと、ロックボタン21の前部29Ｆとを略面一とし、スライド式ストッパ22の前部42Ｆの下部に前方に突設する第一のストッパ押し下げ操作部45を設けたことにより、第一のストッパ押し下げ操作部45に押し当てた指Ｆの先を動かさずに、或いはやや動かしたままロックボタン21を簡単に操作することができる。
【００５５】
また、スライド式ストッパ22の左右の上部43Ｕと、蓋体７に前方へ突設した係合片14の上部14Ｕとを略面一とすると共に、スライド式ストッパ22の少なくとも左右の上部に第二のストッパ押し下げ操作部49を設けたことにより、ストッパ22の左右の上部43Ｕを蓋体７の前部、すなわち係合片14の上部14Ｕと面一化させることで、ストッパ22のＯＦＦ時に段差57などの差異がわかりやすい。しかも、スライド式ストッパ22の前部42Ｆをボタン21の前部29Ｆとほぼ面一化したことで、いっそうストッパ22のＯＦＦ時に段差57などの差異がわかりやすいようにした。また、スライド式ストッパ22が第一、二のストッパ押し下げ操作部45，49、第一〜三のストッパ押し上げ操作部46，48，51と複数あることでストッパ22の操作の自由度が向上し、操作がしやすくなる。また、ストッパ22が大きくなることで使い勝手を向上させた。
【００５６】
さらに、前記スライド式ストッパ22の下部下方に第一のストッパ押し上げ操作部46を設け、スライド式ストッパ22の左右に上方へ幅大となる第二のストッパ押し上げ操作部48を設けたことにより、第一のストッパ押し上げ操作部46や第二のストッパ押し上げ操作部48に指を上向きに掛けてストッパ22を押し上げることができる。
【００５７】
また、前記スライド式ストッパ22の前部の上下方向の中間部に前方へ突設する第三のストッパ押し上げ操作部51を設けたことにより、第三のストッパ押し上げ操作部51に指を上向きに掛けてストッパ22を押し上げることができる。
【００５８】
さらに、前記スライド式ストッパ22は、栓本体５と係合・摺動を担う弾性体の内部部品52と、該内部部品52と一体に設けられストッパ片33を設ける剛性体の外部部品53により構成されることで、押圧操作部29の保護を図り、さらにストッパ22を２部品化し、外側を剛性体とすることでストッパ22が容易に壊れないようにできる。
【００５９】
しかも、内部部品52は、栓本体５及び外部部品53にそれぞれ弾性的に係合することにより、ストッパ22を２部品化し、内部部品52を作動に特化した弾性・摺動性の機能を持たせることで、ロック作動の確実性を向上できる。
【産業上の利用可能性】
【００６０】
以上のように本発明に係る飲料用容器の栓体は、各種の用途に適用できる。
【符号の説明】
【００６１】
２  容器本体
３  第一の上部開口部
５  栓本体
６  ヒンジ
７  蓋体
８  栓本体
８Ｆ  栓本体の前部
10  第二の上部開口部
13  ロック機構
14  係合片
14Ｕ  係合片の上部
21  ロックボタン
22  ストッパ
22Ａ  凹部
24  係合部
27  突設平坦面（摺動係合部）
29Ｆ  ロックボタンの前部
31  コイルスプリング（付勢手段）
33  ストッパ片
35  係止部
36  係止受け部
42  横向き部（横向きの延長部）
42Ｆ  スライド式ストッパの前部
43  縦向き部（縦向き延長部）
43Ｕ  ストッパの左右の上部
45  第一のストッパ押し下げ操作部
46  第一のストッパ押し上げ操作部
48  第二のストッパ押し上げ操作部
49  第二のストッパ押し下げ操作部
51  第三のストッパ押し上げ操作部
52  内部部品
53  外部部品
【図１】
0005310704.tif 000002
【図２】
0005310704.tif 000003
【図３】
0005310704.tif 000004
【図４】
0005310704.tif 000005
【図５】
0005310704.tif 000006
【図６】
0005310704.tif 000007
【図７】
0005310704.tif 000008
【図８】
0005310704.tif 000009